【手続補正書】
【提出日】平成16年3月22日(2004.3.22)
【手続補正１】
【補正対象書類名】明細書
【補正対象項目名】特許請求の範囲
【補正方法】変更
【補正の内容】
【特許請求の範囲】
【請求項１】
入力されたコードデータからページ毎の印刷データを作成し、あるいは、その作成された印刷データを記憶した記憶手段から該印刷データを読み出して印刷を実行させる印刷制御方法において、
前記印刷データのデータ量が前記記憶手段の空き容量より大きいとき、前記記憶手段に既に記憶されている他のページの印刷データのうち、その印刷データのデータ量と前記コードデータから印刷データを作成するために要した時間とのうち少なくとも１つに基づき選択された印刷データを消去してから前記印刷データを記憶することを特徴とする印刷制御方法。
【請求項２】
入力されたコードデータからページ毎の印刷データを作成し、あるいは、その作成された印刷データを記憶した記憶手段から該印刷データを読み出して印刷を実行させる印刷制御方法において、
前記印刷データのデータ量が前記記憶手段の空き容量以下のときのみ該印刷データを前記記憶手段に記憶することを特徴とする印刷制御方法。
【請求項３】
入力されたコードデータに基づきページ毎の印刷データを作成する作成手段と、
この作成手段で作成された印刷データを記憶する記憶手段と、
前記作成手段で作成された印刷データあるいは前記記憶手段に記憶された印刷データに基づき印刷を実行する印刷実行手段と、
前記印刷データのデータ量が前記記憶手段の空き容量より大きいとき、前記記憶手段に既に記憶されている他のページの印刷データのうち、その印刷データのデータ量と前記作成手段で印刷データを作成するために要した時間とのうち少なくとも１つに基づき選択された印刷データを消去してから前記印刷データを記憶するよう制御する制御手段と、
を具備したことを特徴とする印刷装置。
【請求項４】
入力されたコードデータに基づきページ毎の印刷データを作成する作成手段と、
この作成手段で作成された印刷データを記憶する記憶手段と、
前記作成手段で作成された印刷データあるいは前記記憶手段に記憶された印刷データに基づき印刷を実行する印刷実行手段と、
前記印刷データのデータ量が前記記憶手段の空き容量以下のときのみ該印刷データを前記記憶手段に記憶するよう制御する制御手段と、
を具備したことを特徴とする印刷装置。
【請求項５】
入力されたコードデータに基づきページ毎の印刷データを作成する作成手段と、
この作成手段で作成された印刷データを記憶する記憶手段と、
前記作成手段で作成された印刷データあるいは前記記憶手段に記憶された印刷データに基づき印刷を実行する印刷実行手段と、
前記印刷データのデータ量が前記記憶手段の空き容量より大きいとき、前記記憶手段に既に記憶されている他のページの印刷データのうち、これから記憶しようとしているページの印刷データを含めて最もデータ量の大きい印刷データを消去して前記印刷データを記憶するよう制御する機能と前記記憶手段に既に記憶されている他の文書の印刷データを消去して前記印刷データを記憶するよう制御する機能の少なくとも一方を有する制御手段と、
を具備したことを特徴とする印刷装置。
【請求項６】
入力されたコードデータに基づきページ毎の印刷データを作成する作成手段と、
この作成手段で作成された印刷データを記憶する記憶手段と、
前記作成手段で作成された印刷データあるいは前記記憶手段に記憶された印刷データに基づき印刷を実行する印刷実行手段と、
前記印刷データのデータ量が前記記憶手段の空き容量より大きいとき、前記記憶手段に既に記憶されている他のページの印刷データのうち、これから記憶しようとしているページの印刷データを含めて、前記作成手段で印刷データを作成するために要した時間が最も短い印刷データを消去し、その結果得られた空き容量が前記印刷データのデータ量以上であれば前記印刷データを記憶するよう制御する制御手段と、
を具備したことを特徴とする印刷装置。
【手続補正２】
【補正対象書類名】明細書
【補正対象項目名】０００７
【補正方法】変更
【補正の内容】
【０００７】
【課題を解決するための手段】
（１）  本発明の印刷制御方法（請求項１）および印刷装置（請求項３）は、入力されたコードデータからページ毎の印刷データを作成し、あるいは、その作成された印刷データを記憶した記憶手段から該印刷データを読み出して印刷を実行させ、
前記印刷データのデータ量が前記記憶手段の空き容量より大きいとき、前記記憶手段に既に記憶されている他のページの印刷データのうち、その印刷データのデータ量と前記コードデータから印刷データを作成するために要した時間とのうち少なくとも１つに基づき選択された印刷データを消去してから前記印刷データを記憶することにより、複数部数の印刷が高速に行える。


【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
（２）  本発明の印刷制御方法（請求項２）および印刷装置（請求項４）は、入力されたコードデータからページ毎の印刷データを作成し、あるいは、その作成された印刷データを記憶した記憶手段から該印刷データを読み出して印刷を実行させ、
前記印刷データのデータ量が前記記憶手段の空き容量以下のときのみ該印刷データを前記記憶手段に記憶することにより、複数部数の印刷が高速に行える。


【手続補正５】
【補正対象書類名】明細書
【補正対象項目名】００１０
【補正方法】変更
【補正の内容】
【００１０】
（３）  本発明の印刷装置（請求項５）は、入力されたコードデータからページ毎の印刷データを作成し、あるいは、その作成された印刷データを記憶した記憶手段から該印刷データを読み出して印刷を実行させ、
前記印刷データのデータ量が前記記憶手段の空き容量より大きいとき、前記記憶手段に既に記憶されている他のページの印刷データのうち、これから記憶しようとしているページの印刷データを含めて最もデータ量の大きい印刷データを消去して前記印刷データを記憶するよう制御する機能と前記記憶手段に既に記憶されている他の文書の印刷データを消去して前記印刷データを記憶するよう制御する機能の少なくとも一方を有することにより、複数部数の印刷が高速に行える。


【手続補正６】
【補正対象書類名】明細書
【補正対象項目名】００１１
【補正方法】変更
【補正の内容】
【００１１】
（４）  本発明の印刷装置（請求項６）は、入力されたコードデータからページ毎の印刷データを作成し、あるいは、その作成された印刷データを記憶した記憶手段から該印刷データを読み出して印刷を実行させ、
前記印刷データのデータ量が前記記憶手段の空き容量より大きいとき、前記記憶手段に既に記憶されている他のページの印刷データのうち、これから記憶しようとしているページの印刷データを含めて、前記コードデータから印刷データを作成するために要した時間が最も短い印刷データを消去し、その結果得られた空き容量が前記印刷データのデータ量以上であれば前記印刷データを記憶することにより、複数部数の印刷が高速に行える。


【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】